(57)【要約】【課題】  樹脂製サンダル用チャームを取付けていないときでも見栄え良く且つ邪魔にならず、更に、樹脂製サンダル用チャームの取付け取り外しが簡単なストラップを提供する。【解決手段】  ストラップを構成する紐体１０２の途中を少なくとも１箇所切断すると共に、この紐体１０２の切断端を折り返して輪状部１０３を形成し、当該輪状部１０３にゴム製リング１１０を挿通して切断された前記紐体１０２を繋ぎ、このゴム製リング１１０に樹脂製サンダル用チャームを取付ける。【選択図】図１
0003169379.tif 000002
【実用新案登録請求の範囲】
【請求項１】
携帯情報端末や身分証明書ホルダに取り付けられるストラップであって、
ストラップを構成する紐体の途中が少なくとも１箇所切断されると共に、当該切断された前記紐体を繋ぐようにゴム製リングを備え、
当該ゴム製リングに樹脂製サンダル用チャームを取付け取外し可能とされている
ことを特徴とするストラップ。
【請求項２】
請求項１において、
前記紐体の切断端が折り返されて輪状部を形成すると共に、当該輪状部に前記ゴム製リングが挿通されている
ことを特徴とするストラップ。
【請求項３】
請求項２において、
前記切断端の折り返し状態を保持する保持部が、着脱自在とされている
ことを特徴とするストラップ。
【請求項４】
請求項３において、
前記保持部を利用して追加連結する追加用紐体を備える、
ことを特徴とするストラップ。
【考案の詳細な説明】
【技術分野】
【０００１】
本考案は、携帯情報端末や身分証明書ホルダ等に取り付けられるストラップに関し、特に詳しくは、樹脂製サンダル用チャームを着脱自在なストラップに関する。
【背景技術】
【０００２】
従来、ファッション性を演出するためにストラップに様々な飾り付けを施すことが知られている（特許文献１参照）。
【０００３】
また、近年流行している樹脂製サンダル（非特許文献１を参照）において、当該サンダルの甲部分に形成された通気穴を利用してチャーム（樹脂製サンダル用チャーム：通称「ジビッツ」）を取付けることも周知となっている。
【０００４】
更にこの樹脂製サンダル用チャームを携帯電話等のストラップに取付けることも行われている（非特許文献２を参照）。
【先行技術文献】
【特許文献】
【０００５】
【特許文献１】実用新案登録第３１６５２１７号公報
【非特許文献】
【０００６】
【非特許文献１】クロックスジャパン合同会社ウェブサイト（http://www.crocs.co.jp/）
【非特許文献２】暦屋のウェブサイト（http://www.koyomiya.net/SHOP/CC-PC.html）
【考案の概要】
【考案が解決しようとする課題】
【０００７】
しかしながら、非特許文献２に記載されている方法で樹脂製サンダル用チャームをストラップに取付ける場合、ストラップとは別に取付用部材（非特許文献２においては略骨形状の穴あき部材）を備える必要があり、特に樹脂製サンダル用チャームを取付けていないときに見栄えが悪く、邪魔になってしまう。
【０００８】
そこで本考案は、これらの問題点を解決するべくなされたものであって、樹脂製サンダル用チャームを取付けていないときでも見栄え良く且つ邪魔にならず、更に、樹脂製サンダル用チャームの取付け取り外しが簡単なストラップを提供するものである。
【課題を解決するための手段】
【０００９】
上記課題を解消するべく、本考案は、携帯情報端末（携帯電話含む）や身分証明書ホルダに取り付けられるストラップであって、ストラップを構成する紐体の途中が少なくとも１箇所切断されると共に、当該切断された前記紐体を繋ぐようにゴム製リングを備え、当該ゴム製リングに樹脂製サンダル用チャームを取付け取外し可能とされていることを特徴とするストラップ。
【００１０】
このような構成を採用することによって、樹脂製サンダル用チャームを取付ける部位が紐体の途中に組み込まれるので、樹脂製サンダル用チャームを取付けていないときにおいても見栄え良く且つ邪魔にならない。更に、樹脂製サンダル用チャームはゴム製のリングを伸ばして取付けるので、着脱が容易である。
【００１１】
また、前記紐体の切断端が折り返されて輪状部を形成すると共に、当該輪状部に前記ゴム製リングが挿通されていることを特徴とする。
【００１２】
このような構成としたことで、簡易な構成でゴム製リングを保持することが可能となっている。
【００１３】
また、前記切断端の折り返し状態を保持する保持部が、着脱自在とされていることを特徴とする。
【００１４】
このような構成を採用したことによって、例えば使用による経年変化等によりゴム製リングが破損したような場合でも、新しいゴム製リングに容易に取り換えることが可能となっている。
【００１５】
また、前記保持部を利用して追加連結する追加用紐体を備える、ことを特徴とする。
【００１６】
このような構成を採用したことによって、用途や気分に応じてストラップの長さを変えることができるので、様々な使い方（首にかけたり、手にかけたり等）が可能となる。更に追加用紐体の長さ等の形状や色、模様等にバリエーションを備えておくことで、ファッション性に富み且つ多様なニーズに適応できるストラップの提供が可能となる。
【考案の効果】
【００１７】
本考案により、樹脂製サンダル用チャームを取付けていないときでも見栄え良く且つ邪魔にならず、更に、樹脂製サンダル用チャームの取付け取り外しが簡単なストラップを提供することができる。
【図面の簡単な説明】
【００１８】
【図１】本考案にかかるストラップ及び樹脂製サンダル用チャームの全体斜視図である。
【図２】樹脂製サンダル用チャームを装着したストラップの全体斜視図である。
【図３】樹脂製サンダル用チャーム取付部の拡大側面図である。
【図４】追加用紐体を連結して長さを変えたストラップの全体図である。
【考案を実施するための形態】
【００１９】
以下、添付図面を参照しつつ、本考案の実施形態の一例につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈ストラップの構成〉
本考案にかかるストラップ１００は、幅約８ｍｍの合成皮革製の紐体１０２を輪状にして留め具（リベット）１０５によって固定され、携帯電話等の相手方に取付けるための相手方取付部１０１を有した構成とされている。なおこの相手方取付部１０１は、相手方（携帯情報端末や身分証明書ホルダ）に応じて適宜変更可能である。
【００２１】
また、紐体１０２の途中一箇所が切断されていて、当該切断端のそれぞれに折り返し部１０４が設けられ輪状部１０３が形成されている。この折り返し部１０４は雄雌フック（保持部）１０６により取り外し可能とされている。
【００２２】
また、この輪状部１０３にゴム製リング１１０が挿通し紐体１０２の切断端を繋いでいる。このゴム製リング１１０は、外径が約１４ｍｍ、内径が約１０ｍｍとされ、ニトリルゴム（ＮＢＲ）やエチレンプロピレンゴム（ＥＰＤＭ）をその原材料としている。
【００２３】
〈ストラップの作用・機能〉
本考案にかかるストラップ１００には、図２に示しているように樹脂製サンダル用チャーム１２０を取付けることができる。この取り付けは、樹脂製サンダル用チャーム１２０の裏面に設けられた側面視略キノコ形状の被取付部１２２をゴム製リング１１０に通すことで完了するので、取付けのみならず取り外しも非常に簡単である。
【００２４】
また、本考案にかかるストラップ１００においては、樹脂製サンダル用チャーム１２０を取付けていない場合でも、図１に示しているように、ゴム製リング１１０が紐体１０２と一体化しているので見栄えも良く邪魔にならない。特にゴム製リング１１０を紐体１０２の色と揃える等すれば見た目の一体感をより増すことができる。
【００２５】
また、折り返し部１０４は雄雌フック１０６によって保持固定されているので、使用等によりゴム製リング１１０が破損した場合でも、当該雄雌フック１０６を利用して新しいゴム製リング１１０に交換することが可能である。
【００２６】
〈その他の実施形態〉
上記では、折り返し部１０４の保持が雄雌フック１０６により保持固定されていたが、面ファスナなどのその他の手段で構成することも可能である。また場合によっては、着脱自在とするのではなく、リベット等により着脱できない態様で固定してもよい。
【００２７】
また上記では、ゴム製リング１１０が紐体１０２の途中に一箇所のみ設けられていたが、２箇所以上設けてもよい。そのように構成すれば複数の樹脂製サンダル用チャーム１２０を自在に取付けることができる。
【００２８】
また図４に示しているように、紐体１０２の連結を解いて、追加用紐体１３０を追加的に連結することによって、ストラップの長さを変えることも可能である。例えば首にかけて使用する場合は長く、手にかけて使用する場合は短くなどその日の気分や使用目的に応じた使い方が可能となる。更にこの追加用紐体１３０の部分の形状、模様、色彩の少なくとも１つ以上にバリエーションを揃えておくことで、気分に応じて取り換える等様々な使い方が可能となる。
【００２９】
また、上記では紐体１０２が合成皮革製であったが、本革や布、樹脂製など種々の材質を用いてもよい。
【符号の説明】
【００３０】
１００・・・ストラップ
１０１・・・相手方取付部
１０２・・・紐体
１０３・・・輪状部
１０４・・・折り返し部
１０５・・・留め具（リベット）
１０６・・・保持部
１１０・・・ゴム製リング
１２０・・・樹脂製サンダル用チャーム
１２２・・・被保持部
１３０・・・追加用紐体
【図１】
0003169379.tif 000003
【図２】
0003169379.tif 000004
【図３】
0003169379.tif 000005
【図４】
0003169379.tif 000006